(57)【要約】【課題】脱衣室側から入浴者の全体のシルエットが透けて見えることがないと共に、建具体の脱衣室側の見栄えと脱衣室内インテリアを調和でき、入浴者が建具体から閉塞感を受けることがない浴室建具とする。【解決手段】枠体１に建具体２を開閉自在に取付け、この建具体２を枠３に浴室側面材４と脱衣室側面材５を取付け、その脱衣室側面材５を遮光性面材として入浴者の全体のシルエットが透けて見えないと共に、建具体の脱衣室側の見栄えを脱衣室内インテリアを調和できるようにし、前記浴室側面材４を透光性面材として入浴者が閉塞感を受けることがないようにする。【選択図】図２
2009235724.tif 000002
【特許請求の範囲】
【請求項１】
枠体に建具体を開閉自在に取付けた浴室建具であって、
前記建具体は、枠に浴室側面材と脱衣室側面材を取付け
前記浴室側面材を透光性面材とし、
前記脱衣室側面材を遮光性面材としたことを特徴とする浴室建具。
【請求項２】
脱衣室側面材は、遮光性面材で、その脱衣室側面に意匠を施して意匠性を有するものとした請求項１記載の浴室建具。
【請求項３】
枠の見込み方向浴室側寄りに浴室側面材を取付けると共に、その枠の見込み方向脱衣室側寄りに脱衣室側面材を取付け
前記浴室側面材の浴室側面と枠の浴室側面との段差を小さくすると共に、前記脱衣室側面材の脱衣室側面と枠の脱衣室側面の段差を小さくした請求項１又は２記載の浴室建具。
【請求項４】
脱衣室側面材に採光部を形成した請求項１〜３いずれか１項に記載の浴室建具。
【請求項５】
浴室側面材と脱衣室側面材を見込み方向に離隔して両者の間に空間部を形成し、
前記脱衣室側面材に採光穴を形成し、この採光穴を透光性カバー材で覆って前記空間部内に異物が入り込むことがないようにした請求項１〜３いずれか１項に記載の浴室建具。
【請求項６】
脱衣室側面材は採光部として複数の採光穴を有し、その脱衣室側面材の浴室側面における採光穴の周縁にスペーサを設け、
このスペーサを浴室側面材の脱衣室側面に接して脱衣室側面材を枠に取付け、
前記スペーサを遮光性材料とした請求項１〜３いずれか１項に記載の浴室建具。
【請求項７】
枠に脱衣室側面材を、その脱衣室側面材に固着したダボを枠に嵌合すること、前記脱衣室側面材に固着したアタッチメントを枠に固着すること、前記脱衣室側面材に固着した格子を枠に固着すること、前記脱衣室側面材を取付けた面材取付枠を枠に取付けること、前記脱衣室側面材に取付けた弾性材より成る取付部材を枠内に嵌め込むこと、のいずれか１つで取付けるようにした請求項１〜５いずれか１項に記載の浴室建具。
【発明の詳細な説明】
【技術分野】
【０００１】
本発明は、浴室の出入口に用いる浴室建具に関する。
【背景技術】
【０００２】
従来、浴室建具としては、枠体に、ドアや障子などの建具体を開閉自在に取付けたものが一般的で、その建具体としては枠に面材を取付けたものが知られている。
例えば、特許文献１に開示されたように、枠の浴室側と脱衣室側とに透明、あるいは半透明の面材をそれぞれ取付けたドアが知られている。
【特許文献１】特開２００２−２８５７６３号公報
【発明の開示】
【発明が解決しようとする課題】
【０００３】
前述した従来の浴室建具は、ドアの枠に取付けた面材が透明、あるいは半透明の面材、つまり透光性面材であるから、脱衣室側から入浴者の全体のシルエットが透けて見えてしまうので、好ましくない。
しかも、ドアの脱衣室側の外観が脱衣室壁面の外観と著しく相違し、ドアの脱衣室側の見栄えと脱衣室内インテリアを調和させることができない。
【０００４】
本発明の目的は、脱衣室側から入浴者の全体のシルエットが透けて見えることがないと共に、建具体の脱衣室側の見栄えと脱衣室内インテリアを調和でき、しかも入浴者が建具体から閉塞感を受けることがないようにした浴室建具とすることである。
【課題を解決するための手段】
【０００５】
本発明は、枠体に建具体を開閉自在に取付けた浴室建具であって、
前記建具体は、枠に浴室側面材と脱衣室側面材を取付け
前記浴室側面材を透光性面材とし、
前記脱衣室側面材を遮光性面材としたことを特徴とする浴室建具である。
【０００６】
本発明においては、脱衣室側面材は、遮光性面材で、その脱衣室側面に意匠を施して意匠性を有するものにできる。
このようにすれば、脱衣室側面材の脱衣室側面を見た時の見栄えを良くできる。
【０００７】
本発明においては、枠の見込み方向浴室側寄りに浴室側面材を取付けると共に、その枠の見込み方向脱衣室側寄りに脱衣室側面材を取付け
前記浴室側面材の浴室側面と枠の浴室側面との段差を小さくすると共に、前記脱衣室側面材の脱衣室側面と枠の脱衣室側面の段差を小さくすることができる。
このようにすれば、建具体の浴室側面、脱衣室側面の清掃がやり易い。
また、建具体を浴室側、脱衣室側から見た時に建具体に一体感が得られると共に、重厚感を与えることができる。
【０００８】
本発明においては、脱衣室側面材に採光部を形成することができる。
このようにすれば、浴室側面材を透して脱衣室側面材の採光部から浴室に採光できる。
【０００９】
本発明においては、浴室側面材と脱衣室側面材を見込み方向に離隔して両者の間に空間部を形成し、
前記脱衣室側面材に採光穴を形成し、この採光穴を透光性カバー材で覆って前記空間部内に異物が入り込むことがないようにできる。
このようにすれば、採光穴を通して浴室内に採光できるし、その採光穴から浴室側面材と脱衣室側面材との間の空間部に異物が入り込むことがない。
【００１０】
本発明においては、脱衣室側面材は採光部として複数の採光穴を有し、その脱衣室側面材の浴室側面における採光穴の周縁にスペーサを設け、
このスペーサを浴室側面材の脱衣室側面に接して脱衣室側面材を枠に取付け、
前記スペーサを遮光性材料とすることができる。
このようにすれば、脱衣室側面材の採光穴周縁部分がスペーサで補強されるから、採光穴周縁部分が変形等することがない。
また、脱衣室側から採光穴を見た時に、浴室側面材の採光穴と同じ大きさの部分のみを透してのみ浴室側が見えるから、入浴者のシルエット全体が浴室側面材を透して見えることがない。
【００１１】
本発明においては、枠に脱衣室側面材を、その脱衣室側面材に固着したダボを枠に嵌合すること、前記脱衣室側面材に固着したアタッチメントを枠に固着すること、前記脱衣室側面材に固着した格子を枠に固着すること、前記脱衣室側面材を取付けた面材取付枠を枠に取付けること、前記脱衣室側面材に取付けた弾性材より成る取付部材を枠内に嵌め込むこと、のいずれか１つで取付けるようにできる。
【発明の効果】
【００１２】
本発明によれば、脱衣室側面材が遮光性面材であるから、脱衣室側から入浴者の全体のシルエットが透けて見えることがない。
また、脱衣室側面材の脱衣室側面を自由な見栄えとすることができるので、建具体の脱衣室側の見栄えと脱衣室内インテリアを調和できる。
また、入浴者が浴室側面材を見た時に、明るく、透けて見えるので、建具体から閉塞感を受けることがない。
【発明を実施するための最良の形態】
【００１３】
図１〜図３に示すように、枠体１に建具体２を開閉自在に取付けて浴室建具としてある。
前記枠体１は、上枠１０と下枠１１と左右の縦枠１２，１２を方形状に連結してある。
この枠体１は、建物躯体の浴室出入口用の開口部に取付けられる。
なお、建物躯体の浴室出入口用の開口部自体を枠体とすることもできる。
【００１４】
前記建具体２は、枠３に浴室側面材４と脱衣室側面材５を取付けてある。
前記枠３は、上枠材（上框）３０と下枠材（下框）３１と左右の縦枠材（縦框）３２，３２を方形状に連結してある。
前記浴室側面材４は透光性面材である。
前記脱衣室側面材５は遮光性面材で、前記浴室側面材よりも脱衣室側寄りに取付けてある。
このようであるから、脱衣室側から建具体２を見た時に脱衣室側面材５が見えるので、入浴者の全体のシルエットが透けて見えることがない。
【００１５】
また、脱衣室側面材５は遮光性面材であるから、その脱衣室側面５ａの見栄え（意匠）を自由なものとすることができるので、建具体２の脱衣室側の見栄えを脱衣室壁面と合わせることができる。
要するに、脱衣室側面材５を、遮光性面材で、その脱衣室側面５ａに意匠を施しても意匠性を有するものとすることによって、その脱衣室側面５ａの見栄え（意匠）を自由なものとすることができる。
例えば、脱衣室側面５ａに、着色したり、模様などを印刷したり、意匠を施したシートを貼着したり、それらを組み合わせたりして見栄え（意匠）を自由なものとすることができる。
したがって、建具体２の脱衣室側の見栄えと脱衣室内インテリアを調和させることができる。
【００１６】
また、浴室側面材４は透光性面材であるから、入浴者が建具体２を見た時に明るく、透けて見えるから、閉塞感を受けることがない。
【００１７】
次に、建具体２を詳細に説明する。
前記浴室側面材４は枠体３の見込み方向における浴室側寄りに取付けてあり、その浴室側面材４の浴室側面４ａと枠体３の見込み方向における浴室側面３ａとの段差が小さくしてある。
これによって、建具体２の浴室側面の清掃がやり易い。
例えば、上枠材３０、下枠材３１、縦枠材３２の見込み方向における浴室側寄りに内向き凹部３０ａ，３１ａ，３２ａがそれぞれ形成され、その内向き凹部３０ａ，３１ａ，３２ａが４周連続している。
前記内向き凹部３０ａ，３１ａ，３２ａに浴室側面材４の周縁部を嵌め込むようにして取付けられる。
【００１８】
前記脱衣室側面材５は枠体３の見込み方向における脱衣室側寄りに取付けてあり、その脱衣室側面材５の脱衣室側面５ａと枠体３の見込み方向における脱衣室側面３ｂとの段差を小さく、又は面一としてある。
これによって、建具体２の脱衣室側面の清掃がやり易い。
【００１９】
また、浴室側面材４が枠体３の浴室側寄りで、脱衣室側面材５が枠体３の脱衣室側寄りであることによって、建具体２を浴室側、脱衣室側から見た時に建具体２に一体感が得られると共に、重厚感を与えることができる。
【００２０】
図２と図３に示すように、前記脱衣室側面材５の浴室側面５ｂにおける上縁部と下縁部に、上ダボ３３、下ダボ３４が長手方向に間隔を置いて複数固着して取付けてある。例えば、接着、溶着、ビス止めなどで固着して取付けてある。
前記上ダボ３３は脱衣室側面材５の上端面５ｃよりも上方に突出した突部３３ａを有し、この突部３３ａが上枠材３０の内面３０ｂに形成した取付用穴３０ｃに嵌合して脱衣室側面材５の上縁部を上枠材３０に連結している。
前記下ダボ３４は脱衣室側面材５の下端面５ｄよりも下方に突出した突部３４ａを有し、この突部３４ａが下枠材３１の内面３１ｂに形成した取付用穴３１ｃに嵌合して脱衣室側面材５の下縁部を下枠材３１に連結している。
【００２１】
例えば、脱衣室側面材５を弾性変形する面材とし、上ダボ３３と下ダボ３４の一方を前述のように上枠材３０と下枠材３１の一方に連結し、その状態で脱衣室側面材５を図２に仮想線で示すように見込み方向に湾曲変形させて上ダボ３３と下ダボ３４の他方を上枠材３０、下枠材３１の他方の取付用穴３０ｃ，３１ｃに嵌合して連結する。
前記脱衣室側面材５の左右の縦端面５ｅは、左右の縦枠材３２の内側面３２ｂと対向している。
【００２２】
このようであるから、脱衣室側面材５を枠体３に簡単に取付けできると共に、簡単に取り外しすることができる。
【００２３】
この実施の形態では、建具体２は枠体１にヒンジで開閉自在に取付けられ、建具体２がドアで浴室建具は浴室ドアとしてある。
これに限ることはなく、２枚のドアを折曲自在に枠体１に取付けた折れ戸でも良いし、建具体２を障子として枠体１に面内方向に移動自在に取付けて引き戸、引き違い戸、片引き戸などを浴室建具としても良い。
【００２４】
前記脱衣室側面材５の枠体３への取付けは、前述の取付けに限ることはなく、種々の取付けができる。
例えば、図４、図５に示すように、上枠材３０の内側面３０ｂに上アタッチメント３５をビス３６で固着して取付け、この上アタッチメント３５の下向き凹部３５ａに脱衣室側面材５の上縁部を嵌め込んで取付ける。
前記下枠材３１の内側面３１ｂに下アタッチメント３７をビス３８で固着して取付け、その下アタッチメント３７の上向き凹部３７ａに脱衣室側面材５の下縁部を嵌め込んで取付ける。
前記脱衣室側面材５の左右の縦端面５ｅは左右の縦枠材３２の内側面３２ｂと対向している。
【００２５】
また、図６、図７に示すように、上横格子４０、下横格子４１を上枠材３０、下枠材３１の内側面３０ｂ，３１ｂに固着して取付ける。例えば、両面接着テープ４２で接着して取付ける。
左右の縦枠材３２の内側面３２ｂに左右の縦格子４３を固着してそれぞれ取付ける。例えば、両面接着テープ４２で接着して取付ける。
前記上横格子４０、下横格子４１、縦格子４３の脱衣室側面に脱衣室側面材５を固着して取付ける。例えば、脱衣室側面材５の浴室側面５ｂを両面接着テープ４２で接着して取付ける。
【００２６】
また、図８、図９に示すように、枠体３の内周面に面材取付枠５０を挿入して取付け、この面材取付枠５０に脱衣室側面材５を取付ける。
例えば、上取付枠材５１と下取付枠材５２と左右の縦取付枠材５３，５３を方形状に連結して面材取付枠５０とする。
前記各取付枠材５１，５２，５３は脱衣室側寄りに内向き凹部５１ａ，５２ａ，５３ａを有し、その各内向き凹部５１ａ，５２ａ，５３ａが４周連続する。
この内向き凹部５１ａ，５２ａ，５３ａに脱衣室側面材５の周縁部を嵌め込んで取付ける。
【００２７】
また、図示は省略するが、脱衣室側面材５の上縁部と下縁部、又は左右の縦縁部、又は各縁部（周縁部）に、弾性材により断面コ字状となった取付部材を嵌め込んで取付け、その取付部材を弾性変形しながら枠体３の内周面に押し込んで取付けるようにしても良い。
また、図示は省略するが脱衣室側面材５を額縁（モール）で枠体３の内周に取付けるようにしても良い。
【００２８】
前述の各実施の形態では、脱衣室側面材５を枠体３の脱衣室側寄りに取付けて、浴室側面材４と脱衣室側面材５の見込み方向の間隔を大きくしてあるが、その脱衣室側面材５を浴室側面材４と接近して取付けて見込み方向の間隔を小さくしても良い。
例えば、図１０に示すように、脱衣室側面材５の上縁部と下縁部に、前述した取付部材６０を嵌め込んで取付け、その取付部材６０を上枠材３０の内側面３０ｂ、下枠材３１の内側面３１ｂに押しつけると共に、浴室側面材４の脱衣室側面４ｂに接して取付ける。
【００２９】
また、図示は省略するが、脱衣室側面材５の浴室側面５ｂを、浴室側面材４の脱衣室側面４ｂに接着して取付ける。例えば、両面接着テープで接着して取付ける。
また、前述した額縁（モール）を用いて脱衣室側面材５を枠体３の内周における浴室側面材４寄りに取付ける。
また、接着と額縁の両方を組み合わせて取付ける。
【００３０】
また、前述した図４、図５に示す上アタッチメント３５、下アタッチメント３７を、その下向き凹部３５ａ、上向き凹部３７ａが浴室側に向かうように上枠材３０、下枠材３１の内側面３０ｂ，３１ｂにそれぞれ取付けることで、脱衣室側面材５を浴室側面材４寄りに取付ける。
【００３１】
前記脱衣室側面材５は、図１１に示すように透光性面材６（樹脂プレート）に遮光性の意匠パネル７を重ね合わせたものとしても良い。
この場合には、図１１（ａ）に示すように意匠パネル７が脱衣室側に向かうように枠体３に取付けても良いし、図１１（ｂ）に示すように透光性面材６が脱衣室側に向かうように枠体３に取付けても良い。
【００３２】
前記脱衣室面材５は、採光部を有するものとしても良い。
例えば、遮光性面材の複数の部分を透光性面材とする。
このようにすれば、浴室側面材４、脱衣室側面材５の採光部を透して脱衣室側の明かりを浴室側に採光することができる。
【００３３】
前記脱衣室側面材５は、採光部として図１２に示すように、複数の採光穴７０を有するものとしても良い。
この場合には、図１３、図１４に示すように脱衣室側面材５の浴室側面５ｂにおける採光穴７０の周縁に沿ってスペーサ７１をそれぞれ接着などで取付け、その各スペーサ７１が浴室側面材４の脱衣室側面４ｂに接するようにして脱衣室側面材５を枠体３の内周に取付ける。
【００３４】
このようにすれば、脱衣室側面材５の採光穴７０の周縁部分をスペーサ７１で補強して変形等しないようにできる。
また、スペーサ７１を遮光性材料とすれば、脱衣室側から見た時に、浴室側面材４における前記採光穴７０の大きさに相当する部分のみから浴室が見えるので、入浴者のシルエットのごく一部分が見えるだけで全体のシルエットが見えることがない。
【００３５】
また、脱衣室側面材５に採光穴７０を形成した場合には、その採光穴７０を通してゴミなどの異物が浴室側面材４と脱衣室側面材５との間の空間部に入り込む恐れがあるので、その採光穴７０を透光性カバー材で覆って空間部に異物が入り込むことがないようにしても良い。
図１５に示すように、採光穴７０を有した脱衣室側面材５の脱衣室側面５ａの全面に亘って透光性カバー材７２を取付けて採光穴７０を覆うことで空間部７３内に異物が入り込まないようにする。例えば、両面接着テープ７４で接着して取付ける。
【００３６】
前記透光性カバー材７２は採光穴７０の周縁部分にのみ取付けても良いし、採光穴７０に嵌め込むようにして取付けても良い。
また、透光性カバー材７２は脱衣室側面材５の脱衣室側面５ｂ側に取付けるようにしても良い。
【００３７】
また、図１２、図１５に示す脱衣室側面材５、採光部（採光穴７０）を有する脱衣室側面材５は、前述した種々の取付けによって枠３に取付けることができる。
【００３８】
また、前述の各実施の形態では枠３は１つの枠部のみを有するものとしたが、左右の縦枠材３２の上下方向中間部間に亘って中間枠材を連結して上の枠部と下の枠部を有する枠３とし、その上、下の枠部に浴室側面材４、脱衣室側面材５をそれぞれ取付けるようにしても良い。
この場合には、上の枠部と下の枠部とに脱衣室側面材を同じようにして取付けても良いし、異なる取付け方で取付けるようにしても良い。
なお、上枠材３０と下枠材３１とに亘って中間縦材を取付けて左の枠部と右の枠部を有する枠３とし、その各枠部に前述のように各面材を取付けるようにしても良い。
【図面の簡単な説明】
【００３９】
【図１】本発明の実施の形態を示す浴室建具の正面図である。
【図２】図１のＡ−Ａ断面図である。
【図３】図１のＢ−Ｂ断面図である。
【図４】建具体の第２の実施の形態を示す縦断面図である。
【図５】建具体の第２の実施の形態を示す横断面図である。
【図６】建具体の第３の実施の形態を示す縦断面図である。
【図７】建具体の第３の実施の形態を示す横断面図である。
【図８】建具体の第４の実施の形態を示す縦断面図である。
【図９】建具体の第４の実施の形態を示す横断面図である。
【図１０】建具体の第５の実施の形態を示す縦断面図である。
【図１１】脱衣室側面材の第２の実施の形態を示す断面図である。
【図１２】脱衣室側面材の第３の実施の形態を示す断面図である。
【図１３】建具体の縦断面図である。
【図１４】建具体の縦断面図である。
【図１５】建具体の第６の実施の形態を示す断面図である。
【符号の説明】
【００４０】
１…枠体、２…建具体、３…枠、３ａ…浴室側面、３ｂ…脱衣室側面、４…浴室側面材、４ａ…浴室側面、５…脱衣室側面材、５ａ…脱衣室側面、５ｂ…浴室側面、３０…上枠材、３１…下枠材、３２…縦枠材、３３…上ダボ、３４…下ダボ、３５…上アタッチメント、３７…下アタッチメント、４０…上横格子、４１…下横格子、４３…縦格子、５０…面材取付枠、６０…取付部材、７０…採光穴、７１…スペーサ。
【図１】
2009235724.tif 000003
【図２】
2009235724.tif 000004
【図３】
2009235724.tif 000005
【図４】
2009235724.tif 000006
【図５】
2009235724.tif 000007
【図６】
2009235724.tif 000008
【図７】
2009235724.tif 000009
【図８】
2009235724.tif 000010
【図９】
2009235724.tif 000011
【図１０】
2009235724.tif 000012
【図１１】
2009235724.tif 000013
【図１２】
2009235724.tif 000014
【図１３】
2009235724.tif 000015
【図１４】
2009235724.tif 000016
【図１５】
2009235724.tif 000017